(57)【要約】  本開示は、一部には、ヘプタン代替品として使用するための溶剤組成物を提供する。溶剤組成物は、第１のメチル化有機ケイ素化合物、酢酸エステル、およびパラクロロベンゾトリフルオリド（ＰＣＢＴＦ）もしくは第２のメチル化有機ケイ素化合物のいずれか、またはその両方を含み得る。【特許請求の範囲】
【請求項１】
ｉ）溶剤組成物の約４０体積％〜約６０体積％を構成する第１のメチル化有機ケイ素化合物、
ｉｉ）溶剤組成物の約２０ｖ／ｖ％〜約４０ｖ／ｖ％を構成する酢酸エステル、及び
ｉｉｉ）溶剤組成物の約０体積％〜約３０体積％を構成するパラクロロベンゾトリフルオリド（ＰＣＢＴＦ）および／または溶剤組成物の約０ｖ／ｖ％〜約２０ｖ／ｖ％を構成する第２のメチル化有機ケイ素化合物
を含む、溶剤組成物。
【請求項２】
ｉ）前記第１のメチル化有機ケイ素化合物が、前記溶剤組成物の約４５体積％〜約６０体積％を構成し、
ｉｉ）前記酢酸エステルが、前記溶剤組成物の約２０ｖ／ｖ％〜約３５ｖ／ｖ％を構成し、かつ
ｉｉｉ）前記パラクロロベンゾトリフルオリド（ＰＣＢＴＦ）が、前記溶剤組成物の約１０体積％〜約２５体積％を構成する、
請求項１に記載の溶剤組成物。
【請求項３】
ｉ）前記第１のメチル化有機ケイ素化合物が、前記溶剤組成物の約４０体積％〜約５０体積％を構成し、
ｉｉ）前記酢酸エステルが、前記溶剤組成物の約３０ｖ／ｖ％〜約４０ｖ／ｖ％を構成し、かつ
ｉｉｉ）前記第２のメチル化有機ケイ素化合物が、前記溶剤組成物の約１５ｖ／ｖ％〜約２０ｖ／ｖ％を構成する、
請求項１に記載の溶剤組成物。
【請求項４】
ｉ）前記第１のメチル化有機ケイ素化合物が、前記溶剤組成物の約４５体積％〜約５０体積％を構成し、
ｉｉ）前記酢酸エステルが、前記溶剤組成物の約３０ｖ／ｖ％〜約４０ｖ／ｖ％を構成し、
ｉｉｉ）前記パラクロロベンゾトリフルオリド（ＰＣＢＴＦ）が、前記溶剤組成物の約５体積％〜約１７．５体積％を構成し、かつ
ｉｖ）前記第２のメチル化有機ケイ素化合物が、前記溶剤組成物の約２．５ｖ／ｖ％〜約１５ｖ／ｖ％を構成する、
請求項１に記載の溶剤組成物。
【請求項５】
前記酢酸エステルが、ＶＯＣ免除である、請求項１から４までのいずれか１項に記載の溶剤組成物。
【請求項６】
前記酢酸エステルが、酢酸メチル（ＭＡ）である、請求項１から５までのいずれか１項に記載の溶剤組成物。
【請求項７】
前記第１または第２のメチル化有機ケイ素化合物が、ＶＯＣ免除である、請求項１から６までのいずれか１項に記載の溶剤組成物。
【請求項８】
前記第１のメチル化有機ケイ素化合物、または存在する場合の前記第２のメチル化有機ケイ素化合物が、ヘキサメチルジシロキサン（ＨＭＤＳ）、オクタメチルトリシロキサン（ＯＭＴＳ）、またはデカメチルテトラシロキサン（ＤＭＴＳ）である、請求項１から７までのいずれか１項に記載の溶剤組成物。
【請求項９】
前記第１のメチル化有機ケイ素化合物が、ヘキサメチルジシロキサン（ＨＭＤＳ）である、請求項１から８までのいずれか１項に記載の溶剤組成物。
【請求項１０】
前記第２のメチル化有機ケイ素化合物が、存在する場合、オクタメチルトリシロキサン（ＯＭＴＳ）である、請求項１から９までのいずれか１項に記載の溶剤組成物。
【請求項１１】
ｉ）前記第１のメチル化有機ケイ素化合物が、約４０ｖ／ｖ％〜約５０ｖ／ｖ％の量のヘキサメチルジシロキサン（ＨＭＤＳ）であり、
ｉｉ）前記酢酸エステルが、約３０ｖ／ｖ％〜約４０ｖ／ｖ％の量の酢酸メチル（ＭＡ）であり、かつ
ｉｉｉ）前記パラクロロベンゾトリフルオリド（ＰＣＢＴＦ）が、約１５ｖ／ｖ％〜約２５ｖ／ｖ％の量である、
請求項１に記載の溶剤組成物。
【請求項１２】
ｉ）前記第１のメチル化有機ケイ素化合物が、約５０ｖ／ｖ％の量のヘキサメチルジシロキサン（ＨＭＤＳ）であり、
ｉｉ）前記酢酸エステルが、約２５ｖ／ｖ％の量の酢酸メチル（ＭＡ）であり、かつ
ｉｉｉ）前記パラクロロベンゾトリフルオリド（ＰＣＢＴＦ）が、約２５ｖ／ｖ％の量である、
請求項１に記載の溶剤組成物。
【請求項１３】
ｉ）前記第１のメチル化有機ケイ素化合物が、約４５ｖ／ｖ％の量のヘキサメチルジシロキサン（ＨＭＤＳ）であり、
ｉｉ）前記酢酸エステルが、約３５ｖ／ｖ％の量の酢酸メチル（ＭＡ）であり、かつ
ｉｉｉ）前記パラクロロベンゾトリフルオリド（ＰＣＢＴＦ）が約２０ｖ／ｖ％の量である、
請求項１に記載の溶剤組成物。
【請求項１４】
ｉ）前記第１のメチル化有機ケイ素化合物が、約５０ｖ／ｖ％の量のヘキサメチルジシロキサン（ＨＭＤＳ）であり、
ｉｉ）前記酢酸エステルが、約３５ｖ／ｖ％の量の酢酸メチル（ＭＡ）であり、
ｉｉｉ）前記パラクロロベンゾトリフルオリド（ＰＣＢＴＦ）が約５ｖ／ｖ％の量で存在し、かつ
ｉｖ）前記第２のメチル化有機ケイ素化合物が、約１０ｖ／ｖ％の量のオクタメチルトリシロキサン（ＯＭＴＳ）である、
請求項１に記載の溶剤組成物。
【請求項１５】
ｉ）前記第１のメチル化有機ケイ素化合物が、約５０ｖ／ｖ％の量のヘキサメチルジシロキサン（ＨＭＤＳ）であり、
ｉｉ）前記酢酸エステルが、約３５ｖ／ｖ％の量の酢酸メチル（ＭＡ）であり、かつ
ｉｉｉ）前記第２のメチル化有機ケイ素化合物が、約１５ｖ／ｖ％の量のオクタメチルトリシロキサン（ＯＭＴＳ）である、
請求項１に記載の溶剤組成物。
【請求項１６】
少なくとも４℃の引火点を有する、請求項１から１５までのいずれか１項に記載の溶剤組成物。
【請求項１７】
最大で４．３の蒸発速度を有する、請求項１から１６までのいずれか１項に記載の溶剤組成物。
【請求項１８】
請求項１から１７までのいずれか１項に記載の溶剤組成物を、使用説明書と共に含む、キットまたは商用パッケージ。
【請求項１９】
前記溶剤組成物が、体積によるヘプタン代用品として使用するためのものである、請求項１から１７までのいずれか１項に記載の溶剤組成物または請求項１８に記載のキット。
【請求項２０】
塗料、コーティング剤、インク、またはラバーセメントの生産および製造において希釈剤として使用するための、請求項１から１９までのいずれか１項に記載の溶剤組成物またはキット。
【請求項２１】
塗料用シンナー、塗料除去剤、クリーナー、または洗浄／脱脂剤として使用するための、請求項１から１９までのいずれか１項に記載の溶剤組成物またはキット。
【請求項２２】
表面処理または一般および強力脱脂のための硬質表面クリーナーの配合物中の一次溶剤または補助溶剤として使用するための、請求項１から１９までのいずれか１項に記載の溶剤組成物またはキット。
【発明の詳細な説明】
【技術分野】
【０００１】
本開示は、一般に、溶剤組成物に関する。より具体的には、本開示は、ヘプタンを代替するのに使用することのできる溶剤組成物に関する。
【背景技術】
【０００２】
有機溶剤、例えば、ヘプタン、ヘキサン、メチルエチルケトン（ＭＥＫ）、アセトン、キシレンおよびトルエン、１，１，１トリクロロエチレンおよびパークロロエチレン、ならびに他の塩素化または酸素化炭化水素溶剤は多数の用途において使用されている。これらの溶剤の多くが、毒性および／または環境に有害な性質を有する。例えば、ヒトおよび動物研究によって、これらの化学物質への曝露が中枢神経系に有害な影響を及ぼす可能性のあることが示されている。ヘプタンは、特殊用途の溶剤としておよび洗浄剤として使用されている。商用グレードのヘプタンは、塗料およびコーティング剤、ラバーセメント、ならびに防水化合物の補助溶剤として使用されている。ヘプタンはまた、自動車、ブレーキ、接着剤および印刷産業において、ならびに自動車、電子機器、接点の精密洗浄において、洗浄剤（脱脂剤）として使用され、これらの産業用の洗浄製品に配合されている。
さらに、多くの有機溶剤は高度に揮発性であり、環境に放出された総量のうち相当な割合が最終的に大気に混入する。このため、これらの溶剤は揮発性有機化合物（または「ＶＯＣ」）と指定され、規制されている。より低い揮発性を有する化合物または溶剤は、米国（Ｕ．Ｓ．）において環境保護庁（Ｅｎｖｉｒｏｎｍｅｎｔａｌ  Ｐｒｏｔｅｃｔｉｏｎ  Ａｇｅｎｃｙ）（ＥＰＡ）および／またはカリフォルニアの南岸大気管理局（Ｓｏｕｔｈ  Ｃｏａｓｔ  Ａｉｒ  Ｑｕａｌｉｔｙ  Ｍａｎａｇｅｍｅｎｔ  Ｄｉｓｔｒｉｃｔ）（ＳＣＡＱＭＤ）によって、ならびにカナダにおいて汚染物質放出インベントリー（Ｎａｔｉｏｎａｌ  Ｐｏｌｌｕｔａｎｔ  Ｒｅｌｅａｓｅ  Ｉｎｖｅｎｔｏｒｙ）（ＮＰＲＩ）によって、ＶＯＣ免除として分類されている。ヘプタンはＶＯＣを排出する。
【発明の概要】
【課題を解決するための手段】
【０００３】
本開示は、一部には、１種または複数のメチル化有機ケイ素化合物、酢酸エステルおよびパラクロロベンゾトリフルオリド（ＰＣＢＴＦ）を含む溶剤組成物を提供する。
一態様では、本開示は、溶剤組成物の約４０体積％〜約６０体積％の量の第１のメチル化有機ケイ素化合物、溶剤組成物の約２０ｖ／ｖ％〜約４０ｖ／ｖ％の量の酢酸エステル、および溶剤組成物の約０体積％〜約３０体積％を含むパラクロロベンゾトリフルオリド（ＰＣＢＴＦ）もしくは溶剤組成物の約０ｖ／ｖ％〜約２０ｖ／ｖ％の量の第２のメチル化有機ケイ素化合物のいずれか、またはその両方を含む溶剤組成物を提供する。
一部の実施形態では、第１のメチル化有機ケイ素化合物は、溶剤組成物の約４５体積％〜約６０体積％を含んでもよく、酢酸エステルは、溶剤組成物の約２０ｖ／ｖ％〜約３５ｖ／ｖ％を含んでもよく、パラクロロベンゾトリフルオリド（ＰＣＢＴＦ）は、溶剤組成物の約１０体積％〜約２５体積％を含み得る。
代替的な実施形態では、第１のメチル化有機ケイ素化合物は、溶剤組成物の約４０体積％〜約５０体積％を含んでもよく、酢酸エステルは、溶媒組成物の約３０ｖ／ｖ％〜約４０ｖ／ｖ％を含んでもよく、第２のメチル化有機ケイ素化合物は、溶剤組成物の約１５ｖ／ｖ％〜約２０ｖ／ｖ％を含み得る。
代替的な実施形態では、第１のメチル化有機ケイ素化合物は、溶剤組成物の約４５体積％〜約５０体積％を含んでもよく、酢酸エステルは、溶剤組成物の約３０ｖ／ｖ％〜約４０ｖ／ｖ％を含んでもよく、パラクロロベンゾトリフルオリド（ＰＣＢＴＦ）は、溶剤組成物の約５体積％〜約１７．５体積％を含んでもよく、第２のメチル化有機ケイ素化合物は、溶剤組成物の約２．５ｖ／ｖ％〜約１５ｖ／ｖ％を含み得る。
一部の実施形態では、酢酸エステルはＶＯＣ免除となる場合がある。一部の実施形態では、酢酸エステルは酢酸メチル（ＭＡ）でもよい。
一部の実施形態では、第１または第２のメチル化有機ケイ素化合物はＶＯＣ免除となる場合がある。一部の実施形態では、第１または第２のメチル化有機ケイ素化合物は、ヘキサメチルジシロキサン（ＨＭＤＳ）、オクタメチルトリシロキサン（ＯＭＴＳ）、またはデカメチルテトラシロキサン（ＤＭＴＳ）でもよい。
【０００４】
一部の実施形態では、第１のメチル化有機ケイ素化合物は、約４０ｖ／ｖ％〜約５０ｖ／ｖ％の量のヘキサメチルジシロキサン（ＨＭＤＳ）でもよく、（ｂ）酢酸エステルは、約３０ｖ／ｖ％〜約４０ｖ／ｖ％の量の酢酸メチル（ＭＡ）でもよく、パラクロロベンゾトリフルオリド（ＰＣＢＴＦ）は、約１５ｖ／ｖ％〜約２５ｖ／ｖ％の量でもよい。
一部の実施形態では、第１のメチル化有機ケイ素化合物は約５０ｖ／ｖ％の量のヘキサメチルジシロキサン（ＨＭＤＳ）でもよく、酢酸エステルは約２５ｖ／ｖ％の量の酢酸メチル（ＭＡ）でもよく、パラクロロベンゾトリフルオリド（ＰＣＢＴＦ）は、約２５ｖ／ｖ％の量でもよい。
一部の実施形態では、第１のメチル化有機ケイ素化合物は約４５ｖ／ｖ％の量のヘキサメチルジシロキサン（ＨＭＤＳ）でもよく、酢酸エステルは約３５ｖ／ｖ％の量の酢酸メチル（ＭＡ）でもよく、パラクロロベンゾトリフルオリド（ＰＣＢＴＦ）は約２０ｖ／ｖ％の量でもよい。
一部の実施形態では、第１のメチル化有機ケイ素化合物は約５０ｖ／ｖ％の量のヘキサメチルジシロキサン（ＨＭＤＳ）でもよく、酢酸エステルは約３５ｖ／ｖ％の量の酢酸メチル（ＭＡ）でもよく、パラクロロベンゾトリフルオリド（ＰＣＢＴＦ）は、約５ｖ／ｖ％の量で存在してもよく、第２のメチル化有機ケイ素化合物は約１０ｖ／ｖ％の量のオクタメチルトリシロキサン（ＯＭＴＳ）でもよい。
【０００５】
一部の実施形態では、第１のメチル化有機ケイ素化合物は約５０ｖ／ｖ％の量のヘキサメチルジシロキサン（ＨＭＤＳ）でもよく、酢酸エステルは約３５ｖ／ｖ％の量の酢酸メチル（ＭＡ）でもよく、第２のメチル化有機ケイ素化合物は約１５ｖ／ｖ％の量のオクタメチルトリシロキサン（ＯＭＴＳ）でもよい。
一部の実施形態では、溶剤組成物は少なくとも４℃の引火点を有し得る。
一部の実施形態では、溶剤組成物は最大で４．３の蒸発速度を有し得る。
一部の態様では、本開示は、本明細書に記載の通りの溶剤組成物を使用説明書と共に含むキットまたは商用パッケージを提供する。
一部の実施形態では、本開示は、体積によるヘプタン代用品として使用するための、本明細書に記載の通りの溶剤組成物を提供する。
一部の実施形態では、本開示は、塗料、コーティング剤、インクまたはラバーセメントの生産および製造において希釈剤として使用するための、本明細書に記載の通りの溶剤組成物を提供する。
【０００６】
一部の実施形態では、本開示は、塗料用シンナー、塗料除去剤、クリーナーまたは洗浄／脱脂剤として使用するための、本明細書に記載の通りの溶剤組成物を提供する。
一部の実施形態では、本開示は、硬質表面クリーナーの配合物において一次溶剤または補助溶剤として使用するための、表面処理、または一般および強力脱脂のための、本明細書に記載の通りの溶剤組成物を提供する。
本開示の他の態様および特徴は、以下の記載を再検討すれば当業者には明らかとなるであろう。
【発明を実施するための形態】
【０００７】
本開示は、一部には、第１のメチル化有機ケイ素化合物、酢酸エステル、およびパラクロロベンゾトリフルオリド（ＰＣＢＴＦ）もしくは第２のメチル化有機ケイ素化合物のいずれか、またはその両方を含む溶剤組成物を提供する。
本明細書で使用される場合、「メチル化有機ケイ素化合物」によって、メチル基で飽和した２つ以上のシロキサン官能基を有する有機化合物が意味される。メチル化有機ケイ素化合物はＶＯＣ免除である。
一部の実施形態では、第１のメチル化有機ケイ素化合物は、約４０ｖ／ｖ％〜約６０ｖ／ｖ％の間、もしくは約４５ｖ／ｖ％〜約６０ｖ／ｖ％の間、もしくは約４５ｖ／ｖ％〜約５０ｖ／ｖ％の間、もしくは約５０ｖ／ｖ％〜約５５ｖ／ｖ％の間、もしくは約４０ｖ／ｖ％〜約５０ｖ／ｖ％の間の任意の量、または示した範囲の間の任意の値、例えば、約４０ｖ／ｖ％、４１ｖ／ｖ％、４２ｖ／ｖ％、４３ｖ／ｖ％、４４ｖ／ｖ％、４５ｖ／ｖ％、４６ｖ／ｖ％、４７ｖ／ｖ％、４８ｖ／ｖ％、４９ｖ／ｖ％、５０ｖ／ｖ％、５１ｖ／ｖ％、５２ｖ／ｖ％、５３ｖ／ｖ％、５４ｖ／ｖ％、５５ｖ／ｖ％、５６ｖ／ｖ％、５７ｖ／ｖ％、５８ｖ／ｖ％、５９ｖ／ｖ％、６０ｖ／ｖ％等で、溶剤組成物中に存在し得る。
一部の実施形態では、第２のメチル化有機ケイ素化合物は、約０ｖ／ｖ％〜約２０ｖ／ｖ％の間、もしくは約１５ｖ／ｖ％〜約２０ｖ／ｖ％の間、もしくは約１０ｖ／ｖ％〜約２０ｖ／ｖ％の間、もしくは約５ｖ／ｖ％〜約１０ｖ／ｖ％の間、もしくは約２．５ｖ／ｖ％〜約１５ｖ／ｖ％の間の任意の量、または示した範囲の間の任意の値、例えば、約０ｖ／ｖ％、１ｖ／ｖ％、２ｖ／ｖ％、３ｖ／ｖ％、４ｖ／ｖ％、５ｖ／ｖ％、６ｖ／ｖ％、７ｖ／ｖ％、８ｖ／ｖ％、９ｖ／ｖ％、１０ｖ／ｖ％、１１ｖ／ｖ％、１２ｖ／ｖ％、１３ｖ／ｖ％、１４ｖ／ｖ％、１５ｖ／ｖ％、１６ｖ／ｖ％、１７ｖ／ｖ％、１８ｖ／ｖ％、１９ｖ／ｖ％、２０ｖ／ｖ％等で、溶剤組成物中に存在し得る。
【０００８】
ヘキサメチルジシロキサン（ＨＭＤＳ）は、式Ｃ6Ｈ18ＯＳｉ2を有する。これは無色の液体であり、わずかな臭気を有する。ＨＭＤＳはＶＯＣ免除である。一部の実施形態では、第１のメチル化有機ケイ素化合物はＨＭＤＳでもよく、これは、約４０ｖ／ｖ％〜約６０ｖ／ｖ％の間、もしくは約４５ｖ／ｖ％〜約６０ｖ／ｖ％の間、もしくは約４５ｖ／ｖ％〜約５０ｖ／ｖ％の間、もしくは約５０ｖ／ｖ％〜約５５ｖ／ｖ％の間、もしくは約４０ｖ／ｖ％〜約５０ｖ／ｖ％の間の任意の量、または示した範囲の間の任意の値、例えば、約４０ｖ／ｖ％、４１ｖ／ｖ％、４２ｖ／ｖ％、４３ｖ／ｖ％、４４ｖ／ｖ％、４５ｖ／ｖ％、４６ｖ／ｖ％、４７ｖ／ｖ％、４８ｖ／ｖ％、４９ｖ／ｖ％、５０ｖ／ｖ％、５１ｖ／ｖ％、５２ｖ／ｖ％、５３ｖ／ｖ％、５４ｖ／ｖ％、５５ｖ／ｖ％、５６ｖ／ｖ％、５７ｖ／ｖ％、５８ｖ／ｖ％、５９ｖ／ｖ％、６０ｖ／ｖ％等で、溶剤組成物中に存在し得る。
【０００９】
一部の実施形態では、第２のメチル化有機ケイ素化合物はＨＭＤＳであり得、これは、約０ｖ／ｖ％〜約２０ｖ／ｖ％の間、もしくは約１５ｖ／ｖ％〜約２０ｖ／ｖ％の間、もしくは約１０ｖ／ｖ％〜約２０ｖ／ｖ％の間、もしくは約５ｖ／ｖ％〜約１０ｖ／ｖ％の間、もしくは約２．５ｖ／ｖ％〜約１５ｖ／ｖ％の間の任意の量、または示した範囲の間の任意の値、例えば、約０ｖ／ｖ％、１ｖ／ｖ％、２ｖ／ｖ％、３ｖ／ｖ％、４ｖ／ｖ％、５ｖ／ｖ％、６ｖ／ｖ％、７ｖ／ｖ％、８ｖ／ｖ％、９ｖ／ｖ％、１０ｖ／ｖ％、１１ｖ／ｖ％、１２ｖ／ｖ％、１３ｖ／ｖ％、１４ｖ／ｖ％、１５ｖ／ｖ％、１６ｖ／ｖ％、１７ｖ／ｖ％、１８ｖ／ｖ％、１９ｖ／ｖ％、２０ｖ／ｖ％等で、溶剤組成物中に存在し得る。
オクタメチルトリシロキサン（ＯＭＴＳ）は、式Ｃ8Ｈ24Ｏ2Ｓｉ3を有する。これは無色の液体であり、わずかな臭気を有する。ＯＭＴＳはＶＯＣ免除である。一部の実施形態では、第１のメチル化有機ケイ素化合物はＯＭＴＳでもよく、これは、約４０ｖ／ｖ％〜約６０ｖ／ｖ％の間、もしくは約４５ｖ／ｖ％〜約６０ｖ／ｖ％の間、もしくは約４５ｖ／ｖ％〜約５０ｖ／ｖ％の間、もしくは約５０ｖ／ｖ％〜約５５ｖ／ｖ％の間、もしくは約４０ｖ／ｖ％〜約５０ｖ／ｖ％の間の任意の量、または示した範囲の間の任意の値、例えば、約４０ｖ／ｖ％、４１ｖ／ｖ％、４２ｖ／ｖ％、４３ｖ／ｖ％、４４ｖ／ｖ％、４５ｖ／ｖ％、４６ｖ／ｖ％、４７ｖ／ｖ％、４８ｖ／ｖ％、４９ｖ／ｖ％、５０ｖ／ｖ％、５１ｖ／ｖ％、５２ｖ／ｖ％、５３ｖ／ｖ％、５４ｖ／ｖ％、５５ｖ／ｖ％、５６ｖ／ｖ％、５７ｖ／ｖ％、５８ｖ／ｖ％、５９ｖ／ｖ％、６０ｖ／ｖ％等で、溶剤組成物中に存在し得る。
一部の実施形態では、第２のメチル化有機ケイ素化合物はＯＭＴＳでもよく、これは、約０ｖ／ｖ％〜約２０ｖ／ｖ％の間、もしくは約１５ｖ／ｖ％〜約２０ｖ／ｖ％の間、もしくは約１０ｖ／ｖ％〜約２０ｖ／ｖ％の間、もしくは約５ｖ／ｖ％〜約１０ｖ／ｖ％の間、もしくは約２．５ｖ／ｖ％〜約１５ｖ／ｖ％の間の任意の量、または示した範囲の間の任意の値、例えば、約０ｖ／ｖ％、１ｖ／ｖ％、２ｖ／ｖ％、３ｖ／ｖ％、４ｖ／ｖ％、５ｖ／ｖ％、６ｖ／ｖ％、７ｖ／ｖ％、８ｖ／ｖ％、９ｖ／ｖ％、１０ｖ／ｖ％、１１ｖ／ｖ％、１２ｖ／ｖ％、１３ｖ／ｖ％、１４ｖ／ｖ％、１５ｖ／ｖ％、１６ｖ／ｖ％、１７ｖ／ｖ％、１８ｖ／ｖ％、１９ｖ／ｖ％、２０ｖ／ｖ％等で、溶剤組成物中に存在し得る。
【００１０】
デカメチルテトラシロキサン（ＤＭＴＳ）は、式Ｃ10Ｈ30Ｏ3Ｓｉ4を有する。これは無色の液体であり、わずかな臭気を有する。ＤＭＴＳはＶＯＣ免除である。一部の実施形態では、第１のメチル化有機ケイ素化合物はＤＭＴＳでもよく、これは、約４０ｖ／ｖ％〜約６０ｖ／ｖ％の間、もしくは約４５ｖ／ｖ％〜約６０ｖ／ｖ％の間、もしくは約４５ｖ／ｖ％〜約５０ｖ／ｖ％の間、もしくは約５０ｖ／ｖ％〜約５５ｖ／ｖ％の間、もしくは約４０ｖ／ｖ％〜約５０ｖ／ｖ％の間の任意の量、または示した範囲の間の任意の値、例えば、約４０ｖ／ｖ％、４１ｖ／ｖ％、４２ｖ／ｖ％、４３ｖ／ｖ％、４４ｖ／ｖ％、４５ｖ／ｖ％、４６ｖ／ｖ％、４７ｖ／ｖ％、４８ｖ／ｖ％、４９ｖ／ｖ％、５０ｖ／ｖ％、５１ｖ／ｖ％、５２ｖ／ｖ％、５３ｖ／ｖ％、５４ｖ／ｖ％、５５ｖ／ｖ％、５６ｖ／ｖ％、５７ｖ／ｖ％、５８ｖ／ｖ％、５９ｖ／ｖ％、６０ｖ／ｖ％等で、溶剤組成物中に存在し得る。
【００１１】
一部の実施形態では、第２のメチル化有機ケイ素化合物はＤＭＴＳでもよく、これは、約０ｖ／ｖ％〜約２０ｖ／ｖ％の間、もしくは約１５ｖ／ｖ％〜約２０ｖ／ｖ％の間、もしくは約１０ｖ／ｖ％〜約２０ｖ／ｖ％の間、もしくは約５ｖ／ｖ％〜約１０ｖ／ｖ％の間、もしくは約２．５ｖ／ｖ％〜約１５ｖ／ｖ％の間の任意の量、または示した範囲の間の任意の値、例えば、約０ｖ／ｖ％、１ｖ／ｖ％、２ｖ／ｖ％、３ｖ／ｖ％、４ｖ／ｖ％、５ｖ／ｖ％、６ｖ／ｖ％、７ｖ／ｖ％、８ｖ／ｖ％、９ｖ／ｖ％、１０ｖ／ｖ％、１１ｖ／ｖ％、１２ｖ／ｖ％、１３ｖ／ｖ％、１４ｖ／ｖ％、１５ｖ／ｖ％、１６ｖ／ｖ％、１７ｖ／ｖ％、１８ｖ／ｖ％、１９ｖ／ｖ％、２０ｖ／ｖ％等で、溶剤組成物中に存在し得る。
本明細書で使用する場合、「酢酸エステル」によって、式ＣＨ3ＣＯ2Ｒ（式中、ＲはＣ1−Ｃ4アルキルである）を有する酢酸アルキル（Ｃ1−Ｃ4）エステルが意味される。「アルキル」とは、不飽和を含有せず、例えば１〜４個の炭素原子、例えば、１、２、３、または４個の炭素原子を含む、炭素原子および水素原子のみからなる、直鎖または分岐の炭化水素鎖基を指す。酢酸エステルはＶＯＣ免除となる場合がある。
【００１２】
一部の実施形態では、酢酸エステルは、約２０ｖ／ｖ％〜約４０ｖ／ｖ％の間、もしくは約２０ｖ／ｖ％〜約３５ｖ／ｖ％の間、もしくは約２５ｖ／ｖ％〜約３５ｖ／ｖ％の間の任意の量、または示した範囲の間の任意の値、例えば、約２０ｖ／ｖ％、２１ｖ／ｖ％、２２ｖ／ｖ％、２３ｖ／ｖ％、２４ｖ／ｖ％、２５ｖ／ｖ％、２６ｖ／ｖ％、２７ｖ／ｖ％、２８ｖ／ｖ％、２９ｖ／ｖ％、３０ｖ／ｖ％、３１ｖ／ｖ％、３２ｖ／ｖ％、３３ｖ／ｖ％、３４ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
一部の実施形態では、酢酸エステルは、約３０ｖ／ｖ％〜約４０ｖ／ｖ％の間の任意の量、またはその間の任意の値、例えば、３０ｖ／ｖ％、３１ｖ／ｖ％、３２ｖ／ｖ％、３３ｖ／ｖ％、３３ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
一部の実施形態では、第２のメチル化有機ケイ素化合物が溶剤組成物中に存在する場合、酢酸エステルは、約３０ｖ／ｖ％〜約４０ｖ／ｖ％の間、もしくは約３０ｖ／ｖ％〜約３５ｖ／ｖ％の間、もしくは約３５ｖ／ｖ％〜約４０ｖ／ｖ％の間の任意の量、または上下限を含む示した範囲の間の任意の値、例えば、約３０ｖ／ｖ％、３１ｖ／ｖ％、３２ｖ／ｖ％、３３ｖ／ｖ％、３４ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
【００１３】
酢酸メチル（ＭＡ）は、式ＣＨ3ＣＯＯＣＨ3を有する。これは、室温で水への２５％の溶解度を有する可燃性の液体であり、強水性塩基または水性酸の存在中で安定でない。ＭＡはＶＯＣ免除である。一部の実施形態では、酢酸エステルはＭＡでもよく、これは、約２０ｖ／ｖ％〜約４０ｖ／ｖ％の間、もしくは約２０ｖ／ｖ％〜約３５ｖ／ｖ％の間、もしくは約２５ｖ／ｖ％〜約３５ｖ／ｖ％の間の任意の量、または示した範囲の間の任意の値、例えば、約２０ｖ／ｖ％、２１ｖ／ｖ％、２２ｖ／ｖ％、２３ｖ／ｖ％、２４ｖ／ｖ％、２５ｖ／ｖ％、２６ｖ／ｖ％、２７ｖ／ｖ％、２８ｖ／ｖ％、２９ｖ／ｖ％、３０ｖ／ｖ％、３１ｖ／ｖ％、３２ｖ／ｖ％、３３ｖ／ｖ％、３４ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
一部の実施形態では、ＭＡは、約３０ｖ／ｖ％〜約４０ｖ／ｖ％の間、もしくは約３０ｖ／ｖ％〜約３５ｖ／ｖ％の間、もしくは約３５ｖ／ｖ％〜約４０ｖ／ｖ％の間の任意の量、または上下限を含む示した範囲の間の任意の値、例えば、３０ｖ／ｖ％、３１ｖ／ｖ％、３２ｖ／ｖ％、３３ｖ／ｖ％、３３ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
【００１４】
一部の実施形態では、第２のメチル化有機ケイ素化合物が溶剤組成物中に存在する場合、ＭＡは、約３０ｖ／ｖ％〜約４０ｖ／ｖ％の間、もしくは約３０ｖ／ｖ％〜約３５ｖ／ｖ％の間、もしくは約３５ｖ／ｖ％〜約４０ｖ／ｖ％の間の任意の量、または上下限を含む示した範囲の間の任意の値、例えば、約３０ｖ／ｖ％、３１ｖ／ｖ％、３２ｖ／ｖ％、３３ｖ／ｖ％、３４ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
酢酸ｔｅｒｔ−ブチル（ＴＢＡ）は式Ｃ6Ｈ12Ｏ2を有する。これは、ブルーベリーのような匂いの、無色で可燃性の液体である。ＴＢＡはＶＯＣ免除となる場合がある。
一部の実施形態では、酢酸エステルはＴＢＡでもよく、これは、約２０ｖ／ｖ％〜約４０ｖ／ｖ％の間、もしくは約２０ｖ／ｖ％〜約３５ｖ／ｖ％の間、もしくは約２５ｖ／ｖ％〜約３５ｖ／ｖ％の間の任意の量、または示した範囲の間の任意の値、例えば、約２０ｖ／ｖ％、２１ｖ／ｖ％、２２ｖ／ｖ％、２３ｖ／ｖ％、２４ｖ／ｖ％、２５ｖ／ｖ％、２６ｖ／ｖ％、２７ｖ／ｖ％、２８ｖ／ｖ％、２９ｖ／ｖ％、３０ｖ／ｖ％、３１ｖ／ｖ％、３２ｖ／ｖ％、３３ｖ／ｖ％、３４ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
【００１５】
一部の実施形態では、ＴＢＡは、約３０ｖ／ｖ％〜約４０ｖ／ｖ％の間、もしくは約３０ｖ／ｖ％〜約３５ｖ／ｖ％の間、もしくは約３５ｖ／ｖ％〜約４０ｖ／ｖ％の間の任意の量、または上下限を含む示した範囲の間の任意の値、例えば、３０ｖ／ｖ％、３１ｖ／ｖ％、３２ｖ／ｖ％、３３ｖ／ｖ％、３３ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
一部の実施形態では、第２のメチル化有機ケイ素化合物が溶剤組成物中に存在する場合、ＴＢＡは、約３０ｖ／ｖ％〜約４０ｖ／ｖ％の間、もしくは約３０ｖ／ｖ％〜約３５ｖ／ｖ％の間、もしくは約３５ｖ／ｖ％〜約４０ｖ／ｖ％の間の任意の量、または上下限を含む示した範囲の間の任意の値、例えば、３０ｖ／ｖ％、３１ｖ／ｖ％、３２ｖ／ｖ％、３３ｖ／ｖ％、３３ｖ／ｖ％、３５ｖ／ｖ％、３６ｖ／ｖ％、３７ｖ／ｖ％、３８ｖ／ｖ％、３９ｖ／ｖ％、４０ｖ／ｖ％等で、溶剤組成物中に存在し得る。
【００１６】
パラクロロベンゾトリフルオリド（ＰＣＢＴＦ）は式Ｃ7Ｈ4ＣｌＦ3を有する。これは、刺激臭のある、重い（比重１．３４）工業溶剤である。ＰＣＢＴＦはＶＯＣ免除である。一部の実施形態では、ＰＣＢＴＦは、約０ｖ／ｖ％〜約３０ｖ／ｖ％の間の任意の量、またはその間の任意の値、例えば、約０ｖ／ｖ％、１ｖ／ｖ％、２ｖ／ｖ％、３ｖ／ｖ％、４ｖ／ｖ％、５ｖ／ｖ％、６ｖ／ｖ％、７ｖ／ｖ％、８ｖ／ｖ％、９ｖ／ｖ％、１０ｖ／ｖ％、１１ｖ／ｖ％、１２ｖ／ｖ％、１３ｖ／ｖ％、１４ｖ／ｖ％、１５ｖ／ｖ％、１６ｖ／ｖ％、１７ｖ／ｖ％、１８ｖ／ｖ％、１９ｖ／ｖ％、２０ｖ／ｖ％、２１ｖ／ｖ％、２２ｖ／ｖ％、２３ｖ／ｖ％、２４ｖ／ｖ％、２５ｖ／ｖ％、２６ｖ／ｖ％、２７ｖ／ｖ％、２８ｖ／ｖ％、２９ｖ／ｖ％、３０ｖ／ｖ％等で、溶剤組成物中に存在し得る。
一部の実施形態では、ＰＣＢＴＦは、約１５ｖ／ｖ％〜約３０ｖ／ｖ％の間の任意の量、またはその間の任意の値、例えば、約１５ｖ／ｖ％、１６ｖ／ｖ％、１７ｖ／ｖ％、１８ｖ／ｖ％、１９ｖ／ｖ％、２０ｖ／ｖ％、２１ｖ／ｖ％、２２ｖ／ｖ％、２３ｖ／ｖ％、２４ｖ／ｖ％、２５ｖ／ｖ％、２６ｖ／ｖ％、２７ｖ／ｖ％、２８ｖ／ｖ％、２９ｖ／ｖ％、３０ｖ／ｖ％等で、溶剤組成物中に存在し得る。
【００１７】
一部の実施形態では、ＰＣＢＴＦは、約０ｖ／ｖ％〜約１７．５ｖ／ｖ％の間の任意の量、またはその間の任意の値、例えば、約０ｖ／ｖ％、１ｖ／ｖ％、２ｖ／ｖ％、３ｖ／ｖ％、４ｖ／ｖ％、５ｖ／ｖ％、６ｖ／ｖ％、７ｖ／ｖ％、８ｖ／ｖ％、９ｖ／ｖ％、１０ｖ／ｖ％、１１ｖ／ｖ％、１２ｖ／ｖ％、１３ｖ／ｖ％、１４ｖ／ｖ％、１５ｖ／ｖ％、１６ｖ／ｖ％、１７ｖ／ｖ％等で、溶剤組成物中に存在し得る。
一部の実施形態では、第２のメチル化有機ケイ素化合物が溶剤組成物中に存在しない場合、ＰＣＢＴＦは、約１５ｖ／ｖ％〜約３０ｖ／ｖ％の間の任意の量、またはその間の任意の値、例えば、約１５ｖ／ｖ％、１６ｖ／ｖ％、１７ｖ／ｖ％、１８ｖ／ｖ％、１９ｖ／ｖ％、２０ｖ／ｖ％、２１ｖ／ｖ％、２２ｖ／ｖ％、２３ｖ／ｖ％、２４ｖ／ｖ％、２５ｖ／ｖ％、２６ｖ／ｖ％、２７ｖ／ｖ％、２８ｖ／ｖ％、２９ｖ／ｖ％、３０ｖ／ｖ％等で、溶剤組成物中に存在し得る。
一部の実施形態では、第２のメチル化有機ケイ素化合物が溶剤組成物中に存在する場合、ＰＣＢＴＦは、約０ｖ／ｖ％〜約１７．５ｖ／ｖ％の間の任意の量、例えば、約０ｖ／ｖ％、１ｖ／ｖ％、２ｖ／ｖ％、３ｖ／ｖ％、４ｖ／ｖ％、５ｖ／ｖ％、６ｖ／ｖ％、７ｖ／ｖ％、８ｖ／ｖ％、９ｖ／ｖ％、１０ｖ／ｖ％、１１ｖ／ｖ％、１２ｖ／ｖ％、１３ｖ／ｖ％、１４ｖ／ｖ％、１５ｖ／ｖ％、１６ｖ／ｖ％、１７ｖ／ｖ％等で、溶剤組成物中に存在し得る。
【００１８】
一部の実施形態では、本開示による溶剤組成物は、約５０ｖ／ｖ％（約４０．３質量％）の量のＨＭＤＳ、約２５ｖ／ｖ％（約３５．３質量％）の量のＰＣＢＴＦ、および約２５ｖ／ｖ％（約２４．４質量％）の量のＭＡを含み得る。
一部の実施形態では、本開示による溶剤組成物は、約４５ｖ／ｖ％（約３６．７質量％）の量のＨＭＤＳ、約３５ｖ／ｖ％（約３４．７質量％）の量のＭＡ、および約２０ｖ／ｖ％（約２８．６質量％）の量のＰＣＢＴＦを含み得る。
一部の実施形態では、本開示による溶剤組成物は、約５０ｖ／ｖ％（約４４．７質量％）の量のＨＭＤＳ、約３５ｖ／ｖ％（約３７．９質量％）の量のＭＡ、約１０ｖ／ｖ％（約９．５質量％）の量のＯＭＴＳ、および約５ｖ／ｖ％（約７．８質量％）の量のＰＣＢＴＦを含み得る。
一部の実施形態では、本開示による溶剤組成物は、約５０ｖ／ｖ％（約４６．１質量％）の量のＨＭＤＳ、約３５ｖ／ｖ％（約３９．１質量％）の量のＭＡ、および約１５ｖ／ｖ％（約１４．８質量％）の量のＯＭＴＳを含み得る。
「約」によって、ある値または範囲からの、５％またはそれ未満、例えば、０．５％、１％、１．５％、２．０％、２．５％、３．０％、３．５％、４．０％、４．５％、５．０％等の変動（プラスまたはマイナス）が意味される。
溶剤組成物中のある試薬の量が変化すると、一般に、溶剤組成物中の試薬の百分率の合計が１００％に等しくなるように、本開示による溶剤組成物中の他の試薬の量の、指定された範囲内での、対応する調整（増加させるまたは減少させる）が必要になることが理解されるべきである。
【００１９】
一部の実施形態では、いずれの特定の理論にも縛られることなく、ヘキサメチルジシロキサン、オクタメチルトリシロキサンおよび／またはデカメチルテトラシロキサンを、本開示による溶剤組成物の水素結合能または極性に何ら寄与しない成分として使用することができる。
一部の実施形態では、いずれの特定の理論にも縛られることなく、ヘキサメチルジシロキサン、オクタメチルトリシロキサンおよび／またはデカメチルテトラシロキサンを、本開示による溶剤組成物の計算によるまたは測定による溶解力を増加させるために使用することができる。
一部の実施形態では、いずれの特定の理論にも縛られることなく、オクタメチルトリシロキサンおよび／またはデカメチルテトラシロキサンを、本開示による溶剤組成物の計算によるまたは測定による蒸発速度を減少させるためおよび／または引火点を上昇させるために使用することもできる。
一部の実施形態では、いずれの特定の理論にも縛られることなく、酢酸メチルを、本開示による溶剤組成物の計算によるまたは測定による蒸発速度を増加させるために使用することができる。
【００２０】
一部の実施形態では、いずれの特定の理論にも縛られることなく、酢酸メチルを、本開示による溶剤組成物の計算によるまたは測定による溶解力を増加させるために使用することができる。
一部の実施形態では、いずれの特定の理論にも縛られることなく、ＰＣＢＴＦを、本開示による溶剤組成物の計算によるまたは測定による溶解力を増加させるために使用することができる。
一部の実施形態では、いずれの特定の理論にも縛られることなく、ＰＣＢＴＦを、本開示による溶剤組成物の計算によるまたは測定による蒸発速度を減少させるためおよび／または引火点を上昇させるために使用することができる。
一部の実施形態では、本開示による溶剤組成物は、環境に有害であるもしくはオゾン層を破壊する有害大気汚染物質（ＨＡＰ）として、またはＶＯＣとして分類されない試薬を含み得る。
一部の実施形態では、本開示による溶剤組成物は、ＶＯＣ免除である化合物または試薬を含み得る。そのような組成物はＶＯＣ排出を削減するのに有用となり得る。ＭＡ、ＨＭＤＳ、ＯＭＴＳ、ＤＭＴＳおよびＰＣＢＴＦは、現在、ＶＯＣ免除である。
【００２１】
化合物の最大オゾン生成能（ＭＩＲ）の値は、化合物が光化学的分解によりオゾンを生成する能力の尺度である。ＭＩＲ値が低いほど、化合物によって生成されるオゾンが少なくなる（したがって、スモッグが少なくなる）。一部の実施形態では、本開示による溶剤組成物は、ヘプタン（ＭＩＲ  １．２８）よりも低いＭＩＲ値を有し得る。代替的な実施形態では、本開示による組成物は、０．０４６のＭＩＲ値を有し得る。代替的な実施形態では、本開示による組成物は、０．０４７のＭＩＲ値を有し得る。
高い引火点を有する組成物は、例えば、輸送もしくは製造の間のまたは消費者の使用のための安全性の理由から有用である。一部の実施形態では、本開示による溶剤組成物は、少なくとも約４．０℃、例えば、少なくとも約４．５℃、５．０℃、５．５℃、６．０℃、６．５℃、７．０℃、７．５℃、８．０℃、８．５℃、９．０℃、９．５℃、１０．０℃、１５．０℃、２０．０℃、２５．０℃、３０．０℃、３５．０℃、４０．０℃、またはそれより高い引火点を有し得る。一部の実施形態では、本開示による溶剤組成物は、約４．０℃〜約４０．０℃の間、またはその間の任意の値の引火点を有し得る。代替的な実施形態では、本開示による溶剤組成物は、少なくとも約８．６℃の引火点を有し得る。代替的な実施形態では、本開示による溶剤組成物は、少なくとも約５．４℃の引火点を有し得る。
【００２２】
一部の実施形態では、本開示による溶剤組成物は、例えば、標準的な方法を使用して決定することができる、ラットに対する経口ＬＤ50である、生分解性、催奇形性、発がん性、ならびに／または肝毒性および腎毒性測定値のうちの１つまたは複数によって決定される、低い毒性を有し得る。一部の実施形態では、本開示による溶剤組成物は、非発がん性として分類される試薬を含有し得る。一部の実施形態では、本開示による溶剤組成物は、約５０００ｍｇ／ｋｇ以上の経口ＬＤ50を有し得る。
【００２３】
蒸発速度は、基準とする酢酸ｎ−ブチルの蒸発（＝１）に対して表すことができる。蒸発速度は、計算するかまたは実験によって決定することができる。一部の実施形態では、本開示による溶剤組成物は、周囲温度または室温で、約１．５〜約４．３、もしくは３．５〜４．３の間、またはその間もしくはこの範囲の上下限を含む任意の値、例えば、約１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、もしくは４．３の、計算による蒸発速度を有し得る。一部の実施形態では、本開示による溶剤組成物は、周囲温度または室温で、最大で４．０、または最大で４．１、または最大で４．２、または最大で４．３の、計算による蒸発速度を有し得る。一部の実施形態では、本開示による溶剤組成物は、周囲温度または室温で、約２．０〜約４．３、もしくは約３．５〜約４．３の間、またはその間もしくはこの範囲の上下限を含む任意の値、例えば、約１．５、１．６、１．７、１．８、１．９、２．０、２．１、２．２、２．３、２．４、２．５、２．６、２．７、２．８、２．９、３．０、３．１、３．２、３．３、３．４、３．５、３．６、３．７、３．８、３．９、４．０、４．１、４．２、もしくは４．３の、実験によって決定された蒸発速度を有し得る。一部の実施形態では、本開示による溶剤組成物は、周囲温度または室温で、最大で４．０、または最大で４．１、または最大で４．２、または最大で４．３の、実験によって決定された蒸発速度を有し得る。これらのパラメーター内の蒸発速度を有する組成物により、例えば、蒸発の遅い塗料、コーティング剤、インク、接着剤、潤滑剤などにおける、より広い使用法が可能になる。
【００２４】
一部の実施形態では、本開示による溶剤組成物は、周囲温度または室温で、約３．６３の計算による蒸発速度を有し得る。代替的な実施形態では、本開示による溶剤組成物は、周囲温度または室温で、約３．９９の計算による蒸発速度を有し得る。代替的な実施形態では、本開示による溶剤組成物は、周囲温度または室温で、約４．０６の計算による蒸発速度を有し得る。代替的な実施形態では、本開示による溶剤組成物は、周囲温度または室温で、約４．０３の計算による蒸発速度を有し得る。
一部の実施形態では、本開示による溶剤組成物は、実質的に無水でもよく、例えば、０．０２質量％未満の水を含有し得る。代替的な実施形態では、本開示による溶剤組成物は、５００ｐｐｍ未満の水を含有し得る。
一部の実施形態では、本開示による溶剤組成物は、水と実質的に混和しない。
一部の実施形態では、本開示による溶剤組成物は、例えば、少なくとも９９．５％、例えば、少なくとも９９．６％、９９．７％、９９．８％、９９．９％、または１００％の純度を有し得る。代替的な実施形態では、ＰＣＢＴＦは、例えば、少なくとも９９．５％の純度を有し得る。代替的な実施形態では、ＨＭＤＳは、例えば、少なくとも９９．５％の純度を有し得る。代替的な実施形態では、ＯＭＴＳは、例えば、少なくとも９９．５％の純度を有し得る。代替的な実施形態では、ＭＡは、例えば、少なくとも９９．５％の純度を有し得る。
一部の実施形態では、本開示による溶剤組成物は、０．５８の粘度を有し得る。一部の実施形態では、本開示による溶剤組成物は、０．４２であるヘプタンに類似の粘度を有し得る。一部の実施形態では、本開示による溶剤組成物は、例えば、３１のカウリ−ブタノール（Ｋｂ）価を有するヘプタンに対して、Ｋｂ価４８の改善された溶解力を有し得る。これにより、一部の実施形態では、ヘプタンを含有する組成物と比べた場合、本開示による溶剤組成物の使用を少なくすることが可能になる。
【００２５】
一部の実施形態では、本開示による溶剤組成物は、約０．９４９ｇ／ｍｌの比重を有し得る。
代替的な実施形態では、本開示による溶剤組成物は、約０．９３６ｇ／ｍｌの比重を有し得る。
一部の実施形態では、本開示による溶剤組成物は、本明細書に記載のまたは本技術分野で公知の通りのヘプタンの性能特性に近似する性能特性を有し得る。
一部の実施形態では、本開示による溶剤組成物は、適切な温度（例えば、およそ７０．５℃（１５９°Ｆ）の初期沸点を超える）での蒸留によって再循環され得る。
代替的な実施形態では、本開示による溶剤組成物は、適切な温度（例えば、およそ５９℃（１３８°Ｆ）の初期沸点を超える）での蒸留によって再循環され得る。
一部の実施形態では、本開示による溶剤組成物は、軽度の臭気を有し得る。一部の実施形態では、本開示による溶剤組成物は、不快なおよび／または強い臭気を有しない試薬を含み得る。
【００２６】
一部の実施形態では、本開示は、本明細書に記載の通りの、第１のメチル化有機ケイ素化合物、酢酸エステル、およびパラクロロベンゾトリフルオリド（ＰＣＢＴＦ）もしくは第２のメチル化有機ケイ素化合物のいずれか、またはその両方から本質的になる溶剤組成物を提供する。「から本質的になる」によって、不活性および／または中性化合物が、溶剤組成物の物理的性質、例えば、引火点または蒸発速度に影響することなく、溶剤組成物中に存在し得ることが意味される。したがって、結果として得られる溶剤組成物の引火点を４℃未満に低下させ得る、または蒸発速度を４．３超に増加させ得る化合物は、本開示による溶剤組成物から特異的に除外され得る。一部の実施形態では、次亜ハロゲン酸、活性化ハロ置換化合物、およびハロゲンドナー、（例えば、次亜塩素酸ｔｅｒｔ−ブチル、次亜臭素酸ｔｅｒｔ−ブチル、ブロモマロン酸ジエチル、α−ブロモアセトフェノン、ブロモ酢酸、シンナミルブロミド、１，４−ジブロモ−２−ブテン、ヨード酢酸、ブロモジフェニルメタン、９−ブロモフルオレン、ブロモマロン酸ジエチル、臭化ベンゾイル、シンナミルブロミド、１，４−ジブロモ−２−ブテン、ブロモ酢酸、１，４−ジブロモ−２，３−ブタンジオン、ジブロモマロン酸ジエチル、Ｎ−モノハロアルキルウレタン、Ｎ，Ｎ−ジハロアルキルウレタン、Ｎ，Ｎ−ジクロロエチルウレタン、Ｎ，Ｎ−ジブロモエチルウレタン、Ｎ，Ｎ−ジクロロプロピルウレタン、Ｎ，Ｎ−ジブロモプロピルウレタン、Ｎ，Ｎ−ジクロロジベンジルウレタン、Ｎ，Ｎ−ジブロモベンジルウレタン、ジブロモアセトニトリル、トリブロモアセトアルデヒド、アルファ−ブロモイソブチロフェノン、２−ブロモイソ酪酸エチル、α，α，α，α−テトラブロモ−σ−キシレン、９，１０−ジブロモアントラセン、Ｎ−クロロパラトルエンスルホンアミド、Ｎ，Ｎ−ジハロゲンアリールスルホンアミド、例えば、Ｎ，Ｎ−ジクロロ−ｐ−トルエンスルホンアミド、Ｎ，Ｎ−ジブロモトルエンスルホンアミド、Ｎ，Ｎ−ジクロロベンゼンスルホンアミド、Ｎ，Ｎ−ジブロモベンゼンスルホンアミド、ハロメチルエーテル、チオシアノゲン、アジ化ヨウ素、アジ化臭素、塩化ヨウ素、臭化ヨウ素、トリクロロ酢酸ヨウ化物、酢酸臭化物、硝酸ヨウ素、アルキルハイポハライト、アルキルチオニルクロリド、アリールチオニルクロリド、塩化ニトロシル、臭化ニトロシルなどを含む、ハロゲン化剤または特定のハロゲン保持化合物は特異的に除外される。一部の実施形態では、シクロヘキサンが特異的に除外される。
一部の実施形態では、本開示による溶剤組成物は、ヘプタン、例えば、ｎ−ヘプタン（Ｈ3Ｃ（ＣＨ2）5ＣＨ3またはＣ7Ｈ16）を代替するのに有用となり得る。溶剤組成物は、例えば、様々な用途における溶剤として使用することができる。企図される用途の例として、限定することなく、塗料用シンナーとしての使用、塗料除去剤としての使用、クリーナーとしての使用、洗浄／脱脂剤としての使用が挙げられる。
一部の実施形態では、本開示による溶剤組成物は、塗料、コーティング剤、ラバーセメントの製造および配合において、ならびに工業用、商用の洗浄／脱脂用途において有用となり得る。
一部の実施形態では、本開示による溶剤組成物は、塗料およびコーティング剤配合物ならびに／または洗浄、塗料除去剤において有用となり得る。
一部の実施形態では、本開示による溶剤組成物は、表面処理、一般的な目的の表面拭き取りクリーナー（例えば、塗装前の）、一般および／または強力脱脂剤、ブレーキクリーナーおよび／または接点磨きなどとして有用となり得る。
一部の実施形態では、本明細書に記載の通りの溶剤組成物は、ブレーキクリーナーとしてならびに電気部品および電子機器用の接点磨きとして、自動車産業においてクリーナーおよび脱脂剤として、使用することができる。
一部の実施形態では、本明細書に記載の通りの溶剤組成物は、塗料、コーティング剤、インク、接着剤の配合物中の補助溶剤として、ならびに表面処理、および一般および強力脱脂のための硬質表面クリーナーの配合物中の一次または補助溶剤として使用することができる。
本開示による溶剤組成物は、ヘプタンが伝統的に使用されている様々な用途において使用することができ、そのような用途においてヘプタンを代替するために使用することができることが理解されるべきである。したがって、本開示による溶剤組成物の最終的な量は、本開示による溶剤組成物が使用されている製品の最終使用および最終組成に応じて変化し得ることが理解されるべきである。
【実施例】
【００２７】
候補化合物は、多数の環境基準、例えば、低可燃性、安全性、ＶＯＣ免除状況、および持続可能な供給源などを使用して選択した。
候補化合物は、例えば、製造業者の化学物質等安全データシート、様々な化学物質データベース、例えば、ＣＨＥＭｎｅｔＢＡＳＥまたはＣｈｅｍｓｐｉｄｅｒから決定した、その物理化学的性質にも基づいて選択した。ヘプタンと比較した場合に、相対的に高い引火点、低い毒性および低い蒸気圧などを有する候補をさらなる試験のために選択した。
【００２８】
（例１）
以下のものを混合することによって、溶剤組成物（配合物１）を調製した。
ＨＭＤＳ、純度９９．５％、（ＣＡＳ  １０７−４６−０）：５０％（ｖ／ｖ）または４０．３％（質量％）
ＭＡ、純度９９％以上、（ＣＡＳ  ７９−２０−９）：２５％（ｖ／ｖ）または２４．４％（質量％）
ＰＣＢＴＦ、純度９９．５％、（ＣＡＳ  ９８−５６−６）：２５％（ｖ／ｖ）または３５．３％（質量％）
配合物１は０．０４６のＭＩＲ値、約８．６℃の予測引火点、および計算による蒸発速度＝３．６３を有する。
個々の構成成分の加重平均（体積％）に基づく、配合物１の物理的／化学的特性（実験によって決定された初期沸点を除く）は以下の通りであった。
【００２９】
【表１】
2018516309.tif 000002
【００３０】
（例２）
以下のものを混合することによって、溶剤組成物（配合物２）を調製した。
ＨＭＤＳ、純度９９．５％、（ＣＡＳ  １０７−４６−０）：４５％（ｖ／ｖ）または３６．７％（質量％）
ＭＡ、純度９９％以上、（ＣＡＳ  ７９−２０−９）：３５％（ｖ／ｖ）または３４．７％（質量％）
ＰＣＢＴＦ、純度９９．５％、（ＣＡＳ  ９８−５６−６）：２０％（ｖ／ｖ）または２８．６％（質量％）
配合物２は０．０４７のＭＩＲ値、約５．４℃の予測引火点、および計算による蒸発速度＝３．９９を有する。
個々の構成成分の加重平均（体積％）に基づく、配合物２の物理的／化学的特性（実験によって決定された初期沸点を除く）は以下の通りであった。
【００３１】
【表２】
2018516309.tif 000003
【００３２】
（例３）
以下のものを混合することによって、溶剤組成物（配合物３）を調製した。
ＨＭＤＳ、純度９９．５％、（ＣＡＳ  １０７−４６−０）：５０％（ｖ／ｖ）または４４．７％（質量％）
ＭＡ、純度９９％以上、（ＣＡＳ  ７９−２０−９）：３５％（ｖ／ｖ）または３７．９％（質量％）
ＰＣＢＴＦ、純度９９．５％、（ＣＡＳ  ９８−５６−６）：５％（ｖ／ｖ）または７．８％（質量％）
ＯＭＴＳ、純度９９．５％、（ＣＡＳ  １０７−５１−７）：１０％（ｖ／ｖ）または９．５％（質量％）
配合物３は０．０３１のＭＩＲ値、約２．３５℃の予測引火点、および計算による蒸発速度＝４．０６を有する。
【００３３】
（例４）
以下のものを混合することによって、溶剤組成物（配合物４）を調製した。
ＨＭＤＳ、純度９９．５％、（ＣＡＳ  １０７−４６−０）：５０％（ｖ／ｖ）または４６．１％（質量％）
ＭＡ、純度９９％以上、（ＣＡＳ  ７９−２０−９）：３５％（ｖ／ｖ）または３９．１％（質量％）
ＯＭＴＳ、純度９９．５％、（ＣＡＳ  １０７−５１−７）：１５％（ｖ／ｖ）または１４．８％（質量％）
配合物３は０．０２５のＭＩＲ値、約１．９０℃の予測引火点、および計算による蒸発速度＝４．０３を有する。
【００３４】
（例５）
以下のものを混合することによって、溶剤組成物（配合物５）を調製した。
ＨＭＤＳ、純度９９．５％、（ＣＡＳ  １０７−４６−０）：４０％（ｖ／ｖ）または３６．２％（質量％）
ＭＡ、純度９９％以上、（ＣＡＳ  ７９−２０−９）：４０％（ｖ／ｖ）または４４．３％（質量％）
ＯＭＴＳ、純度９９．５％、（ＣＡＳ  １０７−５１−７）：２０％（ｖ／ｖ）または１９．５％（質量％）
配合物５は０．０２９のＭＩＲ値、約３．０４℃の予測引火点、および計算による蒸発速度＝３．９５を有する。
【００３５】
（例６）
以下のものを混合することによって、溶剤組成物（配合物６）を調製した。
ＨＭＤＳ、純度９９．５％、（ＣＡＳ  １０７−４６−０）：４５％（ｖ／ｖ）または４１．１％（質量％）
ＭＡ、純度９９％以上、（ＣＡＳ  ７９−２０−９）：３５％（ｖ／ｖ）または３９．２％（質量％）
ＯＭＴＳ、純度９９．５％、（ＣＡＳ  １０７−５１−７）：２０％（ｖ／ｖ）または１９．７％（質量％）
配合物６は０．０２５のＭＩＲ値、約３．５７℃の予測引火点、および計算による蒸発速度＝３．８４を有する。
【００３６】
（例７）
以下のものを混合することによって、溶剤組成物（配合物７）を調製した。
ＨＭＤＳ、純度９９．５％、（ＣＡＳ  １０７−４６−０）：５０％（ｖ／ｖ）または４４．７％（質量％）
ＭＡ、純度９９％以上、（ＣＡＳ  ７９−２０−９）：３０％（ｖ／ｖ）または３２．９％（質量％）
ＰＣＢＴＦ、純度９９．５％、（ＣＡＳ  ９８−５６−６）：５％（ｖ／ｖ）または７．９％（質量％）
ＯＭＴＳ、純度９９．５％、（ＣＡＳ  １０７−５１−７）：１５％（ｖ／ｖ）または１４．５％（質量％）
配合物７は０．０２７のＭＩＲ値、約４．５５℃の予測引火点、および計算による蒸発速度＝３．７１を有する。
【００３７】
（例８）
以下のものを混合することによって、溶剤組成物（配合物８）を調製した。
ＨＭＤＳ、純度９９．５％、（ＣＡＳ  １０７−４６−０）：５０％（ｖ／ｖ）または４３．４％（質量％）
ＭＡ、純度９９％以上、（ＣＡＳ  ７９−２０−９）：３０％（ｖ／ｖ）または３１．９％（質量％）
ＰＣＢＴＦ、純度９９．５％、（ＣＡＳ  ９８−５６−６）：１０％（ｖ／ｖ）または１５．３％（質量％）
ＯＭＴＳ、純度９９．５％、（ＣＡＳ  １０７−５１−７）：１０％（ｖ／ｖ）または９．４％（質量％）
配合物８は０．０３３のＭＩＲ値、約５．０℃の予測引火点、および計算による蒸発速度＝３．８１を有する。
【００３８】
（例９）
以下のものを混合することによって、溶剤組成物（配合物９）を調製した。
ＨＭＤＳ、純度９９．５％、（ＣＡＳ  １０７−４６−０）：５０％（ｖ／ｖ）または４１．９％（質量％）
ＭＡ、純度９９％以上、（ＣＡＳ  ７９−２０−９）：３５％（ｖ／ｖ）または３６．０％（質量％）
ＰＣＢＴＦ、純度９９．５％、（ＣＡＳ  ９８−５６−６）：１５％（ｖ／ｖ）または２２．２％（質量％）
配合物９は０．０４２のＭＩＲ値、約３．２５℃の予測引火点、および計算による蒸発速度＝４．１４を有する。
【００３９】
（例１０）
以下のものを混合することによって、溶剤組成物（配合物１０）を調製した。
ＨＭＤＳ、純度９９．５％、（ＣＡＳ  １０７−４６−０）：５０％（ｖ／ｖ）または４１．０％（質量％）
ＭＡ、純度９９％以上、（ＣＡＳ  ７９−２０−９）：３０％（ｖ／ｖ）または３０．１％（質量％）
ＰＣＢＴＦ、純度９９．５％、（ＣＡＳ  ９８−５６−６）：２０％（ｖ／ｖ）または２８．９％（質量％）
配合物１０は０．０４４のＭＩＲ値、約５．９℃の予測引火点、および計算による蒸発速度＝３．８８を有する。
【００４０】
（例１１）
以下のものを混合することによって、溶剤組成物（配合物１１）を調製した。
ＨＭＤＳ、純度９９．５％、（ＣＡＳ  １０７−４６−０）：５５％（ｖ／ｖ）または４５．５％（質量％）
ＭＡ、純度９９％以上、（ＣＡＳ  ７９−２０−９）：２５％（ｖ／ｖ）または２５．４％（質量％）
ＰＣＢＴＦ、純度９９．５％、（ＣＡＳ  ９８−５６−６）：２０％（ｖ／ｖ）または２９．２％（質量％）
配合物１１は０．０４のＭＩＲ値、約６．４℃の予測引火点、および計算による蒸発速度＝３．７７を有する。
（例１２）
以下のものを混合することによって、溶剤組成物（配合物１２）を調製した。
ＨＭＤＳ、純度９９．５％、（ＣＡＳ  １０７−４６−０）：５５％（ｖ／ｖ）または４６．５％（質量％）
ＭＡ、純度９９％以上、（ＣＡＳ  ７９−２０−９）：３０％（ｖ／ｖ）または３１．１％（質量％）
ＰＣＢＴＦ、純度９９．５％、（ＣＡＳ  ９８−５６−６）：１５％（ｖ／ｖ）または２２．４％（質量％）
配合物１２は０．０３８のＭＩＲ値、約３．７８℃の予測引火点、および計算による蒸発速度＝４．０３を有する。
【００４１】
（例１３）
以下のものを混合することによって、溶剤組成物（配合物１３）を調製した。
ＨＭＤＳ、純度９９．５％、（ＣＡＳ  １０７−４６−０）：５５％（ｖ／ｖ）または４４．５％（質量％）
ＭＡ、純度９９％以上、（ＣＡＳ  ７９−２０−９）：２０％（ｖ／ｖ）または１９．８％（質量％）
ＰＣＢＴＦ、純度９９．５％、（ＣＡＳ  ９８−５６−６）：２５％（ｖ／ｖ）または３５．７％（質量％）
配合物１３は０．０４２のＭＩＲ値、約９．１℃の予測引火点、および計算による蒸発速度＝３．５２を有する。
【００４２】
（例１４）
以下のものを混合することによって、溶剤組成物（配合物１４）を調製した。
ＨＭＤＳ、純度９９．５％、（ＣＡＳ  １０７−４６−０）：６０％（ｖ／ｖ）または５２．４％（質量％）
ＭＡ、純度９９％以上、（ＣＡＳ  ７９−２０−９）：３０％（ｖ／ｖ）または３２．２％（質量％）
ＰＣＢＴＦ、純度９９．５％、（ＣＡＳ  ９８−５６−６）：１０％（ｖ／ｖ）または１５．４％（質量％）
配合物１４は０．０３３のＭＩＲ値、約１．７℃の予測引火点、および計算による蒸発速度＝４．１７を有する。
（例１５）
以下のものを混合することによって、溶剤組成物（配合物１５）を調製した。
ＨＭＤＳ、純度９９．５％、（ＣＡＳ  １０７−４６−０）：６０％（ｖ／ｖ）または５１．２％（質量％）
ＭＡ、純度９９％以上、（ＣＡＳ  ７９−２０−９）：２５％（ｖ／ｖ）または２６．２％（質量％）
ＰＣＢＴＦ、純度９９．５％、（ＣＡＳ  ９８−５６−６）：１５％（ｖ／ｖ）または２２．６％（質量％）
配合物１５は０．０３５のＭＩＲ値、約４．３℃の予測引火点、および計算による蒸発速度＝３．９２を有する。
【００４３】
（例１６）
以下のものを混合することによって、溶剤組成物（配合物１６）を調製した。
ＨＭＤＳ、純度９９．５％、（ＣＡＳ  １０７−４６−０）：６０％（ｖ／ｖ）または５０．０％（質量％）
ＭＡ、純度９９％以上、（ＣＡＳ  ７９−２０−９）：２０％（ｖ／ｖ）または２０．５％（質量％）
ＰＣＢＴＦ、純度９９．５％、（ＣＡＳ  ９８−５６−６）：２０％（ｖ／ｖ）または２９．４％（質量％）
配合物１６は０．０３６のＭＩＲ値、約７．０℃の予測引火点、および計算による蒸発速度＝３．６６を有する。
（例１７）
以下のものを混合することによって、溶剤組成物（配合物１７）を調製した。
ＨＭＤＳ、純度９９．５％、（ＣＡＳ  １０７−４６−０）：４５％（ｖ／ｖ）または３７．１％（質量％）
ＭＡ、純度９９％以上、（ＣＡＳ  ７９−２０−９）：３５％（ｖ／ｖ）または３５．３％（質量％）
ＰＣＢＴＦ、純度９９．５％、（ＣＡＳ  ９８−５６−６）：１７．５％（ｖ／ｖ）または２５．４％（質量％）
ＯＭＴＳ、純度９９．５％、（ＣＡＳ  １０７−５１−７）：２．５％（ｖ／ｖ）または２．２％（質量％）
配合物１７は０．０４４のＭＩＲ値、約５．２℃の予測引火点、および計算による蒸発速度＝３．９７を有する。
【００４４】
（例１８）
配合物１８：ヘプタン１００％。
（例１９）
ＨＭＤＳ：約２２．８５％（ｖ／ｖ）または約１９．６１％（質量％）、
ＭＡ：約７４．９１％（ｖ／ｖ）または約７８．４３％（質量％）
を有する溶剤組成物（配合物１９）は、−７．３５℃の計算による引火点および５．５１の計算による蒸発速度を有する。
（例２０）
ＨＭＤＳ：２２．８５％（ｖ／ｖ）または１９．６１％（質量％）、
ＭＡ：７４．９１％（ｖ／ｖ）または７８．４３％（質量％）、および
シクロヘキサン：２．２４％（ｖ／ｖ）または１．９６％（質量％）
を有する溶剤組成物（配合物２０）は、−７．８０℃の計算による引火点および５．６４の計算による蒸発速度を有する。
【００４５】
（例２１）
ＨＭＤＳ：約３３．５８％（ｖ／ｖ）または約２９．４１％（質量％）、
ＭＡ：約６４．２３％（ｖ／ｖ）または約６８．６３％（質量％）
を有する溶剤組成物（配合物２１）は、−６．２２℃の計算による引火点および５．２６の計算による蒸発速度を有する。
（例２２）
ＨＭＤＳ：３３．５８％（ｖ／ｖ）または２９．４１％（質量％）、
ＭＡ：６４．２３％（ｖ／ｖ）または６８．６３％（質量％）、
シクロヘキサン：２．２０％（ｖ／ｖ）または１．９６％（質量％）
を有する溶剤組成物（配合物２２）は、−６．６６℃の計算による引火点および５．３８の計算による蒸発速度を有する。
【００４６】
（例２３）
ＭＡ：約８３．０７％（ｖ／ｖ）または約７８．４３％（質量％）、
ＰＣＢＴＦ：約１４．４４％（ｖ／ｖ）または約１９．６１％（質量％）
を有する溶剤組成物（配合物２３）は、−２．１０℃の計算による引火点および５．２８の計算による蒸発速度を有する。
（例２４）
ＭＡ：約８３．０７％（ｖ／ｖ）または約７８．４３％（質量％）、
ＰＣＢＴＦ：約１４．４４％（ｖ／ｖ）または約１９．６１％（質量％）、
シクロヘキサン：約２．４８％（ｖ／ｖ）または約１．９６％（質量％）
を有する溶剤組成物（配合物２４）は、−２．５９℃の計算による引火点および５．４２の計算による蒸発速度を有する。
（例２５）
ＨＭＤＳ：約２９．０７％（ｖ／ｖ）または約２５％（質量％）、
ＭＡ：約７０．５３％（ｖ／ｖ）または約７４％（質量％）
を有する溶剤組成物（配合物２５）は、−６．８８℃の計算による引火点および５．４８の計算による蒸発速度を有する。
【００４７】
（例２６）
ＨＭＤＳ：約３１．３４％（ｖ／ｖ）または約２５％（質量％）、
ＭＡ：約５０．３５％（ｖ／ｖ）または約４９％（質量％）、
ＰＣＢＴＦ：約１７．８７％（ｖ／ｖ）または約２５％（質量％）
を有する溶剤組成物（配合物２６）は、２．８５℃の計算による引火点および４．４７の計算による蒸発速度を有する。
いくつかの化合物を異なる初期ブレンドで合わせた（表１）。ブレンドは、予測引火点０℃（３２°Ｆ）超、および３．０〜４．２の範囲内の計算による蒸発速度で配合した。本明細書に記載のブレンドまたは配合物は、リチウムグリースの溶解力、ならびに蒸発速度に対して標準化された性能試験を通して選択した。
溶剤ブレンドを、市販のブレーキクリーナー（ヘプタン６０〜１００％、イソプロパノール７〜１３％、ＣＯ2１〜５％）の形態のヘプタン（配合物１８、表１）ならびに配合物１９〜２６と比較した。
ブレンドの臭気も、実証的に試験した。蒸発速度は、酢酸ｎ−ブチルと比較した、個々の構成成分の質量平均（体積％）に基づいて計算した（計算による蒸発速度、表１）。蒸発速度はまた、０．３ｍｌのブレンドの９５％が蒸発する（目視検査による）およその時間（単位：秒）に基づいて測定した（実験による蒸発、表１）。
【００４８】
【表３】
2018516309.tif 000004
【００４９】
配合物１〜１７は、配合物１８、市販のブレーキクリーナー（ヘプタン６０〜１００％、イソプロパノール７〜１３％、ＣＯ2１〜５％）に匹敵する効率で、リチウムグリースを溶解することが観察された。
オクタメチルトリシロキサンを含む配合物（配合物３〜８、１７）は、比較的遅い実験による蒸発速度を有することが見出された。
ヘキサメチルジシロキサンを６０％（ｖ／ｖ）含む配合物（配合物１４〜１６）は比較的速い実験による蒸発速度を有することが見出された。
【００５０】
配合物１〜４を、定量的脱脂試験に供し、市販のブレーキクリーナー（ヘプタン６０〜１００％、イソプロパノール７〜１３％、ＣＯ2１〜５％）に匹敵するかまたはそれと比較して、より優れた効率を示すことが見出された。
配合物１〜１７は、配合物１９〜２６と比較して、より優れた引火点および／または蒸発速度を示した。
これまでの記載において、説明の目的で、各例を完全に理解するために、数多くの詳細を示している。しかし、これらの具体的な詳細が必要とされないことは、当業者には明らかであろう。
上記の例は、例示でのみあることが意図される。当業者であれば、本明細書に添付の特許請求の範囲によって定義される範囲から逸脱することなく、特定の例に対して、変更、修正、変形を実施することができる。
すべての引用文献は、参照により本明細書に組み込まれる。
【国際調査報告】
2018516309.tif 000005
2018516309.tif 000006
2018516309.tif 000007